(57)【要約】【課題】接続された複数の音響機器がそれぞれ備えているイコライザ機能を有効に活用し、よりきめ細かい音質の調整を簡易に行うことができる「音響システム、音響機器および音質調整方法」を提供する。【解決手段】ヘッドユニット１００が外部アンプ２００から当該外部アンプ２００の機種情報を取得し、当該取得した機種情報および割当テーブル記憶部１２に記憶されている割当テーブル情報に基づいて、第１のイコライザ処理部１１が担当する周波数帯を第１のイコライザ処理部１１に設定するとともに、第２のイコライザ処理部２１が担当する周波数帯の割当情報を外部アンプ２００に送信して、第２のイコライザ処理部２１で利得制御する周波数帯を第２のイコライザ処理部２１に設定することにより、２つのイコライザ処理部１１，２１の機能を有効に活用してよりきめ細かい音質の調整を行うことができるようにする。【選択図】図１
2015082686.tif 000002
【特許請求の範囲】
【請求項１】
第１のイコライザ処理部を備えた第１の音響機器と第２のイコライザ処理部を備えた第２の音響機器とを接続可能に構成された音響システムであって、
上記第１の音響機器は、
複数の周波数帯の利得を制御する上記第１のイコライザ処理部と、
上記第１のイコライザ処理部で利得制御する周波数帯の割り当ておよび上記第２のイコライザ処理部で利得制御する周波数帯の割り当てを示す全体割当情報を上記第２の音響機器の機種ごとに割当テーブル情報として記憶する割当テーブル記憶部と、
上記第２の音響機器から当該第２の音響機器の機種情報を取得する機種情報取得部と、
上記機種情報取得部により取得された機種情報および上記割当テーブル記憶部に記憶されている上記割当テーブル情報に基づいて、上記第１のイコライザ処理部で利得制御する周波数帯を上記第１のイコライザ処理部に設定する第１の周波数帯設定部と、
上記機種情報取得部により取得された機種情報および上記割当テーブル記憶部に記憶されている上記割当テーブル情報に基づいて、上記第２のイコライザ処理部で利得制御する周波数帯の割当情報を上記第２の音響機器に送信する割当情報送信部とを備え、
上記第２の音響機器は、
複数の周波数帯の利得を制御する上記第２のイコライザ処理部と、
自機器の機種情報を上記第１の音響機器に送信する機種情報送信部と、
上記割当情報送信部により送信された上記割当情報を取得する割当情報取得部と、
上記割当情報取得部により取得された上記割当情報に基づいて、上記第２のイコライザ処理部で利得制御する周波数帯を上記第２のイコライザ処理部に設定する第２の周波数帯設定部とを備えたことを特徴とする音響システム。
【請求項２】
上記第１の音響機器は、
上記機種情報取得部により取得された機種情報に対応する上記全体割当情報に基づいて、上記第１のイコライザ処理部で利得制御する周波数帯および上記第２のイコライザ処理部で利得制御する周波数帯を統合したイコライザ設定画面を生成する画面生成部と、
上記画面生成部により生成された上記イコライザ設定画面を表示する表示部と、
上記表示部により表示された上記イコライザ設定画面に対するユーザの操作に応じて、上記第１のイコライザ処理部に割り当てられた周波数帯に対する利得を上記第１のイコライザ処理部に設定する第１の利得設定部と、
上記表示部により表示された上記イコライザ設定画面に対するユーザの操作に応じて、上記第２のイコライザ処理部に割り当てられた周波数帯に対する利得情報を上記第２の音響機器に送信する利得情報送信部とを更に備え、
上記第２の音響機器は、
上記利得情報送信部により送信された上記利得情報を取得する利得情報取得部と、
上記利得情報取得部により取得された上記利得情報に基づいて、上記第２のイコライザ処理部に割り当てられた周波数帯に対する利得を上記第２のイコライザ処理部に設定する第２の利得設定部とを更に備えたことを特徴とする請求項１に記載の音響システム。
【請求項３】
上記第１の音響機器に接続可能に構成された外部端末を更に備えた音響システムであって、
上記第１の音響機器に代えて上記外部端末が上記割当テーブル記憶部を備え、
上記第１の音響機器は、上記機種情報取得部により取得された機種情報に対応する上記全体割当情報を上記外部端末から取得する全体割当情報取得部を更に備えたことを特徴とする請求項１に記載の音響システム。
【請求項４】
上記第２の音響機器の機種情報に代えて、上記第２のイコライザ処理部が利得制御する周波数帯域の数を示す帯域数情報を用いるようにしたことを特徴とする請求項１に記載の音響システム。
【請求項５】
複数の周波数帯の利得を制御する第１のイコライザ処理部と、
複数の周波数帯の利得を制御する第２のイコライザ処理部を備えた第２の音響機器を接続する接続部と、
上記第１のイコライザ処理部で利得制御する周波数帯の割り当ておよび上記第２のイコライザ処理部で利得制御する周波数帯の割り当てを示す全体割当情報を上記第２の音響機器の機種ごとに割当テーブル情報として記憶する割当テーブル記憶部と、
上記接続部に接続された上記第２の音響機器の機種情報を取得する機種情報取得部と、
上記機種情報取得部により取得された機種情報および上記割当テーブル記憶部に記憶されている上記割当テーブル情報に基づいて、上記第１のイコライザ処理部で利得制御する周波数帯を上記第１のイコライザ処理部に設定する第１の周波数帯設定部と、
上記機種情報取得部により取得された機種情報および上記割当テーブル記憶部に記憶されている上記割当テーブル情報に基づいて、上記第２のイコライザ処理部で利得制御する周波数帯の割当情報を上記第２の音響機器に送信する割当情報送信部とを備えたことを特徴とする音響機器。
【請求項６】
上記機種情報取得部により取得された機種情報に対応する上記全体割当情報に基づいて、上記第１のイコライザ処理部で利得制御する周波数帯および上記第２のイコライザ処理部で利得制御する周波数帯を統合したイコライザ設定画面を生成する画面生成部と、
上記画面生成部により生成された上記イコライザ設定画面を表示する表示部と、
上記表示部により表示された上記イコライザ設定画面に対するユーザの操作に応じて、上記第１のイコライザ処理部に割り当てられた周波数帯に対する利得を上記第１のイコライザ処理部に設定する第１の利得設定部と、
上記表示部により表示された上記イコライザ設定画面に対するユーザの操作に応じて、上記第２のイコライザ処理部に割り当てられた周波数帯に対する利得情報を上記第２の音響機器に送信する利得情報送信部とを更に備えたことを特徴とする請求項５に記載の音響機器。
【請求項７】
複数の周波数帯の利得を制御する第１のイコライザ処理部を備えた第１の音響機器と、複数の周波数帯の利得を制御する第２のイコライザ処理部を備えた第２の音響機器とを接続可能に構成された音響システムにおいて再生される音声信号の音質調整方法であって、
上記第１の音響機器の機種情報取得部が、上記第２の音響機器の機種情報を当該第２の音響機器から取得する第１のステップと、
上記第１の音響機器の第１の周波数帯設定部が、上記第１のイコライザ処理部で利得制御する周波数帯の割り当ておよび上記第２のイコライザ処理部で利得制御する周波数帯の割り当てを示す全体割当情報を上記第２の音響機器の機種ごとに割当テーブル情報として記憶した割当テーブル記憶部から、上記機種情報取得部により取得された機種情報に対応する上記全体割当情報を読み出し、当該読み出した全体割当情報に基づいて、上記第１のイコライザ処理部で利得制御する周波数帯を上記第１のイコライザ処理部に設定する第２のステップと、
上記第１の音響機器の割当情報送信部が、上記機種情報取得部により取得された機種情報に対応する上記全体割当情報を上記割当テーブル記憶部から読み出し、当該読み出した上記全体割当情報に基づいて、上記第２のイコライザ処理部で利得制御する周波数帯の割当情報を上記第２の音響機器に送信する第３のステップと、
上記第２の音響機器の割当情報取得部が、上記割当情報送信部により送信された上記割当情報を取得する第４のステップと、
上記第２の音響機器の第２の周波数帯設定部が、上記割当情報取得部により取得された上記割当情報に基づいて、上記第２のイコライザ処理部で利得制御する周波数帯を上記第２のイコライザ処理部に設定する第５のステップとを有することを特徴とする音質調整方法。
【請求項８】
上記第１の音響機器の画面生成部が、上記機種情報取得部により取得された機種情報に対応する上記全体割当情報を上記割当テーブル記憶部から読み出し、当該読み出した上記全体割当情報に基づいて、上記第１のイコライザ処理部で利得制御する周波数帯および上記第２のイコライザ処理部で利得制御する周波数帯を統合したイコライザ設定画面を生成する第６のステップと、
上記第１の音響機器の表示部が、上記画面生成部により生成された上記イコライザ設定画面を表示する第７のステップと、
上記第１の音響機器の第１の利得設定部が、上記表示部により表示された上記イコライザ設定画面に対するユーザの操作に応じて、上記第１のイコライザ処理部に割り当てられた周波数帯に対する利得を上記第１のイコライザ処理部に設定する第８のステップと、
上記第１の音響機器の利得情報送信部が、上記表示部により表示された上記イコライザ設定画面に対するユーザの操作に応じて、上記第２のイコライザ処理部に割り当てられた周波数帯に対する利得情報を上記第２の音響機器に送信する第９のステップと、
上記第２の音響機器の利得情報取得部が、上記利得情報送信部により送信された上記利得情報を取得する第１０のステップと、
上記第２の音響機器の第２の利得設定部が、上記利得情報取得部により取得された上記利得情報に基づいて、上記第２のイコライザ処理部に割り当てられた周波数帯に対する利得を上記第２のイコライザ処理部に設定する第１１のステップとを更に有することを特徴とする請求項７に記載の音質調整方法。
【発明の詳細な説明】
【技術分野】
【０００１】
本発明は、音響システム、音響機器および音質調整方法に関し、特に、音声信号の周波数特性を変更することによって音質を調整するイコライザ機能を備えた音響システムに用いて好適なものである。
【背景技術】
【０００２】
一般的に、車載用の音響システムは、ヘッドユニットに対してイコライザや外部アンプを取り付けることによって構成されている。イコライザは、音声信号の周波数特性を変更することによって音質を調整するものであり、ヘッドユニットに外付けされる音響機器として提供される場合もあるし、ヘッドユニット自身がイコライザ機能を備える場合もある。また、外部アンプもイコライザ機能を有していることが多い。
【０００３】
イコライザには、パラメトリックイコライザとグラフィックイコライザとの２種類がある。パラメトリックイコライザでは、中心周波数、周波数帯域幅（カーブの急峻さを表すＱ値）、音量（利得）などの複数項目にわたってきめ細かく音質を調整することが可能である。一方、グラフィックイコライザは、可聴周波数域を複数の周波数帯に分割して、各周波数帯の音量を調整するものであり、パラメトリックイコライザに比べて簡易に利得を調整することが可能である。
【０００４】
イコライザ機能を備えた外部アンプを、イコライザ機能を備えたヘッドユニットに接続した場合、ヘッドユニットおよび外部アンプのそれぞれにおいて可聴周波数域の全周波数帯に対して利得の調整が行われる。例えば、図７（ａ）に示すように、ヘッドユニットにおいて２０〜２０ｋＨｚの可聴周波数域を等分した９つの周波数帯に対して利得の調整が行われ、外部アンプにおいて２０〜２０ｋＨｚの可聴周波数を等分した３つの周波数帯域に等分して利得の調整が行われる。
【０００５】
この場合、ヘッドユニットによる利得の調整と、外部アンプによる利得の調整とにより、重複した利得の調整が行われることになる。ここで、ヘッドユニットで調整可能な周波数帯と外部アンプで調整可能な周波数帯とは中心周波数も周波数帯域幅も異なっているため、相互関係により音質の調整が難しくなっている。また、外部アンプおよびヘッドユニットのそれぞれにおいて利得の調整を行う必要があるため、所望の音質を得るための操作が煩雑となっている。
【０００６】
このような問題を回避するため、何れか一方のイコライザ機能のみを使用し、他方のイコライザ機能は使用しない設定にすることが一般的であった。通常は、図７（ｂ）に示すように、ヘッドユニット側のイコライザ機能のみを使用することが多かった。この点に関して、イコライザ機能を有する第１音響機器にイコライザ機能を有する第２音響機器を接続した場合に、第１音響機器の音量を最大値に固定し、第２音響機器でしか音量調整できないようにした技術が提案されている（例えば、特許文献１参照）。
【０００７】
また、オーディオ再生機器と携帯プレイヤとが接続されている場合に、携帯プレイヤから出力されてきたフラットな音声信号の周波数特性をオーディオ再生機器のイコライザで変換して再生するようにした技術も提案されている（例えば、特許文献２参照）。具体的には、携帯プレイヤのイコライザの動作を停止させるとともに、携帯プレイヤ内に設定されているイコライザ設定情報を読み取り、読み取ったイコライザ設定情報にてデータベースを検索して該当の周波数特性情報を取り出し、これをイコライザ用のフィルタ係数に変換してオーディオ再生機器内のイコライザに設定するように構成されている。
【０００８】
なお、ラジオチューナ、テープデッキ、ＣＤプレイヤ等の中から所望の音源を選択するモード調整機能を備えた本体装置と、同様のモード調整機能を備えた外部接続装置（イコライザ等）とを接続した場合に、本体装置が備える所定の複数の操作キーを同時操作することにより、重複するモード調整機能を外部接続装置に移管するようにしたシステムも提案されている（例えば、特許文献３参照）。
【０００９】
しかしながら、上記のように何れか一方の音響機器のイコライザ機能のみを使用する場合は、他方の音響機器のイコライザ機能が全く有効に活用されず、せっかくの機能が無駄になってしまっているという問題があった。
【先行技術文献】
【特許文献】
【００１０】
【特許文献１】特開平７−７３５１号公報
【特許文献２】特開２０１０−１６５７４号公報
【特許文献３】特開平６−１８０９７５号公報
【発明の概要】
【発明が解決しようとする課題】
【００１１】
本発明は、このような問題を解決するために成されたものであり、接続された複数の音響機器がそれぞれ備えているイコライザ機能を有効に活用し、よりきめ細かい音質の調整を簡易に行うことができるようにすることを目的とする。
【課題を解決するための手段】
【００１２】
上記した課題を解決するために、本発明では、第１の音響機器が備える第１のイコライザ処理部で利得制御する周波数帯の割り当てと、第２の音響機器が備える第２のイコライザ処理部で利得制御する周波数帯の割り当てとを示す全体割当情報を第２の音響機器の機種ごとに割当テーブル情報として割当テーブル記憶部に記憶しておく。そして、第１の音響機器が第２の音響機器から機種情報を取得し、当該取得した機種情報および割当テーブル記憶部に記憶されている割当テーブル情報に基づいて、第１のイコライザ処理部で利得制御する周波数帯を第１のイコライザ処理部に設定するとともに、第２のイコライザ処理部で利得制御する周波数帯を第２のイコライザ処理部に設定するようにしている。
【発明の効果】
【００１３】
上記のように構成した本発明によれば、第１のイコライザ処理部と第２のイコライザ処理部とで利得制御する周波数帯が分担されるので、２つのイコライザ処理部の機能を有効に活用してよりきめ細かい音質の調整を行うことができるようになる。また、２つのイコライザ処理部が同じ周波数帯に対して重複して利得制御する状態を回避することができるので、同じ周波数帯の利得制御に関して相互関係が生じず、音質の調整を簡易に行うことができる。
【図面の簡単な説明】
【００１４】
【図１】本実施形態による音響システムの構成例を示す図である。
【図２】本実施形態による第１のイコライザ処理部および第２のイコライザ処理部における分割周波数帯の割り当てに関する一例を示す図である。
【図３】本実施形態による音響システムの機能構成例を示すブロック図である。
【図４】本実施形態による第１のイコライザ処理部および第２のイコライザ処理部における分割周波数帯の割り当てに関する動作例を示すフローチャートである。
【図５】本実施形態による第１のイコライザ処理部および第２のイコライザ処理部に対する利得の制御（デジタル音声信号の音質調整）に関する動作例を示すフローチャートである。
【図６】本実施形態による音響システムの他の機能構成例を示すブロック図である。
【図７】ヘッドユニットおよび外部アンプにおける分割周波数帯の割り当てに関する従来例を示す図である。
【発明を実施するための形態】
【００１５】
以下、本発明の一実施形態を図面に基づいて説明する。図１は、本実施形態による音響システムの構成例を示す図である。図１に示すように、本実施形態の音響システムは、第１の音響機器としてのヘッドユニット１００と、第２の音響機器としての外部アンプ２００とを接続可能に構成されている。具体的には、ヘッドユニット１００および外部アンプ２００はそれぞれ接続部１１０，２１０を有し、当該接続部１１０，２１０にケーブル３００を接続することにより、ヘッドユニット１００と外部アンプ２００とを接続可能に構成している。
【００１６】
ヘッドユニット１００および外部アンプ２００は何れもグラフィックイコライザの機能を備え、２０〜２０ｋＨｚの可聴周波数域を複数の周波数帯に分割して、各周波数帯の利得を制御することが可能である。ヘッドユニット１００が備える第１のイコライザ処理部１１および外部アンプ２００が備える第２のイコライザ処理部２１が、このイコライザ機能に関する処理を実行する。
【００１７】
ヘッドユニット１００は、第１のイコライザ処理部１１の入力側にＡ／Ｄコンバータ１０１を備えており、ヘッドユニット１００の外部の音源（図示せず）から入力されるアナログ音声信号をデジタル音声信号に変換して第１のイコライザ処理部１１に供給するように構成されている。第１のイコライザ処理部１１で利得制御されたデジタル音声信号は、外部アンプ２００の第２のイコライザ処理部２１にデジタル音声信号のまま供給される。
【００１８】
第２のイコライザ処理部２１の出力側には、Ｄ／Ａコンバータ２０１、アッテネータ２０２およびアンプ２０３が接続されており、第２のイコライザ処理部２１で利得制御されたデジタル音声信号をＤ／Ａコンバータ２０１でアナログ音声信号に変換した後、アッテネータ２０２およびアンプ２０３で振幅を制御して外部のスピーカ（図示せず）に出力するように構成されている。
【００１９】
このように、第１のイコライザ処理部１１および第２のイコライザ処理部２１による利得の制御は、デジタル音声信号に対してデジタル信号処理として行うようになっている。デジタル信号処理によって利得の制御を行うため、周波数帯の分割数、各周波数帯の中心周波数および周波数帯域幅はデジタル的に可変となっている。
【００２０】
本実施形態では、図２（ａ）に一例として示すように、ヘッドユニット１００のイコライザ機能に関しては、初期状態において２０〜２０ｋＨｚの可聴周波数域が９つの周波数帯に等分され、当該９つの周波数帯の利得を個別に制御することが可能となっている。一方、外部アンプ２００のイコライザ機能に関しては、初期状態において２０〜２０ｋＨｚの可聴周波数域が３つの周波数帯に等分され、当該３つの周波数帯の利得を個別に制御することが可能となっている。
【００２１】
なお、ヘッドユニット１００および外部アンプ２００のイコライザ機能に関する初期状態における周波数帯の分割数は、ヘッドユニット１００および外部アンプ２００の機種によって異なる。上述した９分割および３分割というのは、ある機種のヘッドユニット１００の分割数と、ある機種の外部アンプ２００の分割数を示したものである。
【００２２】
図３は、本実施形態による音響システムの機能構成例を示すブロック図である。なお、図３においては、第１のイコライザ処理部１１および第２のイコライザ処理部２１における分割周波数帯の割り当てと利得の制御に関する機能のみを示しており、図１に示した音声信号の流れに関する機能ついては図示を省略している。
【００２３】
図３に示すように、ヘッドユニット１００は、その機能構成として、第１のイコライザ処理部１１、割当テーブル記憶部１２、機種情報取得部１３、第１の周波数帯設定部１４、割当情報送信部１５、画面生成部１６、表示部１７、操作受付部１８、第１の利得設定部１９および利得情報送信部２０を備えている。また、外部アンプ２００は、その機能構成として、第２のイコライザ処理部２１、機種情報送信部２２、割当情報取得部２３、第２の周波数帯設定部２４、利得情報取得部２５および第２の利得設定部２６を備えている。
【００２４】
ヘッドユニット１００の第１のイコライザ処理部１１は、図１のＡ／Ｄコンバータ１０１より入力されるデジタル音声信号に対して、複数の周波数帯の利得を制御する。上述したように、第１のイコライザ処理部１１は、初期状態においては２０〜２０ｋＨｚの可聴周波数域を９つの周波数帯に等分し、当該９つの周波数帯の利得を個別に制御する。ヘッドユニット１００に対して外部アンプ２００を接続せずに使用する場合、第１のイコライザ処理部１１はこの初期状態の設定に従って利得の制御を行う。
【００２５】
外部アンプ２００の第２のイコライザ処理部２１は、第１のイコライザ処理部１１より供給されるデジタル音声信号に対して、複数の周波数帯の利得を制御する。上述したように、第２のイコライザ処理部２１は、初期状態においては２０〜２０ｋＨｚの可聴周波数域を３つの周波数帯に等分し、当該３つの周波数帯の利得を個別に制御する。例えば、イコライザ機能を持たないヘッドユニットに外部アンプ２００を接続する場合、第２のイコライザ処理部２１は初期状態の設定に従って利得の制御を行う。
【００２６】
ヘッドユニット１００の割当テーブル記憶部１２は、第１のイコライザ処理部１１で利得制御する周波数帯の割り当てと、第２のイコライザ処理部１２で利得制御する周波数帯の割り当てとを示す全体割当情報を外部アンプ２００の機種ごとに割当テーブル情報として記憶する。例えば、図２（ａ）のように周波数帯を３分割して利得制御する外部アンプ２００の機種に関して、図２（ｂ）に模式的に示すような全体割当情報を記憶する。
【００２７】
図２（ｂ）に示す全体割当情報では、ヘッドユニット１００の第１のイコライザ処理部１１における周波数帯の分割数と、外部アンプ２００の第２のイコライザ処理部２１における周波数帯の分割数とを合計して、２０〜２０ｋＨｚの可聴周波数域を１２個の周波数帯に等分している。そして、低域側から３個の周波数帯を第２のイコライザ処理部２１に割り当てるとともに、高域側の９個の周波数帯を第１のイコライザ処理部１１に割り当てている。
【００２８】
ここで、第２のイコライザ処理部２１に低域側の周波数帯を割り当てるのは、外部アンプ２００の第２のイコライザ処理部２１がヘッドユニット１００の第１のイコライザ処理部１１よりも高性能の場合である。外部アンプ２００の機種によっては、低域側から９個の周波数帯を第１のイコライザ処理部１１に割り当てるとともに、高域側の３個の周波数帯を第２のイコライザ処理部２１に割り当てるような全体割当情報が割当テーブル記憶部１２に記憶されることもある。
【００２９】
外部アンプ２００の機種情報送信部２２は、外部アンプ２００がヘッドユニット１００に接続されたとき、あるいは、ヘッドユニット１００と外部アンプ２００とが接続された状態においてヘッドユニット１００の電源をオンとしたときに、自機器の機種情報をヘッドユニット１００に送信する。ヘッドユニット１００の機種情報取得部１３は、機種情報送信部２２により送信された外部アンプ２００の機種情報を取得する。
【００３０】
ヘッドユニット１００の第１の周波数帯設定部１４は、機種情報取得部１３により取得された外部アンプ２００の機種情報と、割当テーブル記憶部１２に記憶されている割当テーブル情報とに基づいて、第１のイコライザ処理部１１で利得制御する周波数帯を第１のイコライザ処理部１１に設定する。
【００３１】
すなわち、第１の周波数帯設定部１４は、外部アンプ２００の機種情報に対応する全体割当情報を割当テーブル記憶部１２から読み出し、その全体割当情報の中で示されている第１のイコライザ処理部１１に関する割当情報（以下、第１割当情報という）に従って、第１のイコライザ処理部１１が担当する周波数帯を第１のイコライザ処理部１１に設定する。図２（ｂ）の例では、１２等分した周波数帯のうち高域側の９個の周波数帯を第１のイコライザ処理部１１に設定する。
【００３２】
割当情報送信部１５は、機種情報取得部１３により取得された外部アンプ２００の機種情報と、割当テーブル記憶部１２に記憶されている割当テーブル情報とに基づいて、第２のイコライザ処理部２１で利得制御する周波数帯の割当情報を外部アンプ２００に送信する。
【００３３】
すなわち、割当情報送信部１５は、外部アンプ２００の機種情報に対応する全体割当情報を割当テーブル記憶部１２から読み出し、その全体割当情報の中で示されている第２のイコライザ処理部２１に関する割当情報（以下、第２割当情報という）を外部アンプ２００に送信する。図２（ｂ）の例では、１２等分した周波数帯のうち低域側の３個の周波数帯を示す第２割当情報を外部アンプ２００に送信する。
【００３４】
外部アンプ２００の割当情報取得部２３は、ヘッドユニット１００の割当情報送信部１５により送信された第２割当情報を取得する。第２の周波数帯設定部２４は、割当情報取得部２３により取得された第２割当情報に基づいて、第２のイコライザ処理部２１で利得制御する周波数帯を第２のイコライザ処理部２１に設定する。すなわち、１２等分した周波数帯のうち低域側の３個の周波数帯を第２のイコライザ処理部２１に設定する。
【００３５】
ヘッドユニット１００の画面生成部１６は、機種情報取得部１３により取得された外部アンプ２００の機種情報と、割当テーブル記憶部１２に記憶されている割当テーブル情報とに基づいて、第１のイコライザ処理部１１で利得制御する周波数帯および第２のイコライザ処理部２１で利得制御する周波数帯を統合したイコライザ設定画面を生成する。すなわち、画面生成部１６は、外部アンプ２００の機種情報に対応する全体割当情報を割当テーブル記憶部１２から読み出し、その全体割当情報で示される分割数の周波数帯ごとに利得の制御を可能にしたイコライザ設定画面を生成する。
【００３６】
表示部１７は、画面生成部１６により生成されたイコライザ設定画面をヘッドユニット１００のディスプレイ（図示せず）に表示させる。操作受付部１８は、表示部１７により表示されたイコライザ設定画面に対するユーザの操作を受け付ける。具体的には、全体割当情報で示される分割数の周波数帯のうち、所望の周波数帯に関して利得を制御するための操作を受け付ける。
【００３７】
第１の利得設定部１９は、操作受付部１８により受け付けられたイコライザ設定画面に対するユーザの操作に応じて、第１のイコライザ処理部１１に割り当てられた周波数帯に対する利得を第１のイコライザ処理部１１に設定する。すなわち、高域側の９個の周波数帯のうち何れか１つまたは複数に関して利得を制御するための操作を操作受付部１８が受け付けた場合、第１の利得設定部１９は、当該１つまたは複数の周波数帯に対する利得を、操作受付部１８が受け付けた操作内容に応じた値に設定する。
【００３８】
利得情報送信部２０は、操作受付部１８により受け付けられたイコライザ設定画面に対するユーザの操作に応じて、第２のイコライザ処理部２１に割り当てられた周波数帯に対する利得の設定情報を外部アンプ２００に送信する。すなわち、低域側の３個の周波数帯のうち何れか１つまたは複数に関して利得を制御するための操作を操作受付部１８が受け付けた場合、利得情報送信部２０は、当該１つまたは複数の周波数帯に対する利得情報を外部アンプ２００に送信する。
【００３９】
外部アンプ２００の利得情報取得部２５は、ヘッドユニット１００の利得情報送信部２０により送信された利得情報を取得する。第２の利得設定部２６は、利得情報取得部２５により取得された利得情報に基づいて、第２のイコライザ処理部２１に割り当てられた周波数帯に対する利得を第２のイコライザ処理部に設定する。すなわち、第２の利得設定部２６は、低域側の３個の周波数帯のうち操作受付部１８が利得制御の操作を受け付けた周波数帯に対する利得を、ヘッドユニット１００から送信されてきた利得情報に応じた値に設定する。
【００４０】
図４は、上記のように構成した本実施形態による音響システムの動作例を示すフローチャートである。図４に示すフローチャートは、第１のイコライザ処理部１１および第２のイコライザ処理部２１における分割周波数帯の割り当てに関する動作例を示すものである。なお、図４に示すフローチャートは、ヘッドユニット１００に外部アンプ２００を接続したとき、あるいは、ヘッドユニット１００と外部アンプ２００とが接続された状態においてヘッドユニット１００の電源をオンとしたときに開始する。
【００４１】
まず、外部アンプ２００の機種情報送信部２２は、自機器の機種情報をヘッドユニット１００に送信する（ステップＳ１）。ヘッドユニット１００の機種情報取得部１３は、機種情報送信部２２により送信された外部アンプ２００の機種情報を取得する（ステップＳ２）。
【００４２】
ヘッドユニット１００の第１の周波数帯設定部１４は、機種情報取得部１３により取得された外部アンプ２００の機種情報に対応する全体割当情報を割当テーブル記憶部１２から読み出し、その全体割当情報の中で示されている第１割当情報に従って、第１のイコライザ処理部１１で利得制御する周波数帯を第１のイコライザ処理部１１に設定する（ステップＳ３）。
【００４３】
また、割当情報送信部１５は、機種情報取得部１３により取得された外部アンプ２００の機種情報に対応する全体割当情報を割当テーブル記憶部１２から読み出し、その全体割当情報の中で示されている第２割当情報を外部アンプ２００に送信する（ステップＳ４）。外部アンプ２００の割当情報取得部２３は、割当情報送信部１５により送信された第２割当情報を取得する（ステップＳ５）。
【００４４】
最後に、外部アンプ２００の第２の周波数帯設定部２４は、割当情報取得部２３により取得された第２割当情報に基づいて、第２のイコライザ処理部２１で利得制御する周波数帯を第２のイコライザ処理部２１に設定する（ステップＳ６）。これにより、図４に示すフローチャートの処理は終了する。
【００４５】
図５は、上記のように構成した本実施形態による音響システムの動作例を示すフローチャートである。図５に示すフローチャートは、第１のイコライザ処理部１１および第２のイコライザ処理部２１に対する利得の制御（デジタル音声信号の音質調整）に関する動作例を示すものである。なお、図５に示すフローチャートは、図４に示すフローチャートの処理の後に引き続いて行われる。
【００４６】
まず、ヘッドユニット１００の画面生成部１６は、外部アンプ２００の機種情報に対応する全体割当情報を割当テーブル記憶部１２から読み出し、その全体割当情報で示される分割数の周波数帯ごとに利得の制御を可能にしたイコライザ設定画面を生成する（ステップＳ１１）。そして、表示部１７は、画面生成部１６により生成されたイコライザ設定画面をヘッドユニット１００のディスプレイに表示させる（ステップＳ１２）。
【００４７】
次に、操作受付部１８は、表示部１７により表示されたイコライザ設定画面において、ヘッドユニット１００に割り当てられた周波数帯に関して利得を制御するための操作が行われたか否かを判定する（ステップＳ１３）。そのような操作を操作受付部１８が受け付けた場合、第１の利得設定部１９は、操作された周波数帯に対する利得を第１のイコライザ処理部１１に設定する（ステップＳ１４）。
【００４８】
一方、ヘッドユニット１００に割り当てられた周波数帯に関して利得を制御するための操作が行われていないと操作受付部１８にて判定された場合、操作受付部１８は引き続き、外部アンプ２００に割り当てられた周波数帯に関して利得を制御するための操作が行われたか否かを判定する（ステップＳ１５）。そのような操作を操作受付部１８が受け付けていない場合、図５に示すフローチャートの処理は終了する。
【００４９】
一方、外部アンプ２００に割り当てられた周波数帯に関して利得を制御するための操作を操作受付部１８が受け付けた場合、利得情報送信部２０は、操作された周波数帯に対する利得を表す利得情報を外部アンプ２００に送信する（ステップＳ１６）。外部アンプ２００の利得情報取得部２５は、利得情報送信部２０により送信された利得情報を取得する（ステップＳ１７）。
【００５０】
最後に、第２の利得設定部２６は、利得情報取得部２５により取得された利得情報に基づいて、操作された周波数帯に対する利得を第２のイコライザ処理部２１に設定する（ステップＳ１８）。これにより、図５に示すフローチャートの処理は終了する。
【００５１】
以上詳しく説明したように、本実施形態では、ヘッドユニット１００が外部アンプ２００から当該外部アンプ２００の機種情報を取得し、当該取得した機種情報および割当テーブル記憶部１２に記憶されている割当テーブル情報に基づいて、第１のイコライザ処理部１１で利得制御する周波数帯を第１のイコライザ処理部１１に設定するとともに、第２のイコライザ処理部２１で利得制御する周波数帯の割当情報を外部アンプ２００に送信して、第２のイコライザ処理部２１で利得制御する周波数帯を第２のイコライザ処理部２１に設定するようにしている。
【００５２】
上記のように構成した本実施形態によれば、ヘッドユニット１００の第１のイコライザ処理部１１と外部アンプ２００の第２のイコライザ処理部２１とで利得制御する周波数帯が分担されるので、２つのイコライザ処理部１１，２１の機能を有効に活用してよりきめ細かい音質の調整を行うことができるようになる。また、２つのイコライザ処理部１１，２１が同じ周波数帯に対して重複して利得制御する状態を回避することができるので、同じ周波数帯の利得制御に関して相互関係が生じず、音質の調整を簡易に行うことができる。
【００５３】
また、本実施形態では、ヘッドユニット１００の第１のイコライザ処理部１１と外部アンプ２００の第２のイコライザ処理部２１とで分担して利得制御する全周波数帯のイコライザ設定画面をヘッドユニット１００のディスプレイに表示させ、全周波数帯の中の所望の分割周波数帯に関する利得制御に関する操作をヘッドユニット１００のみで行うことができるようにしている。これにより、ヘッドユニット１００および外部アンプ２００のそれぞれにおいて利得設定の操作を行う必要がなく、簡単な操作で音質の調整を行うことができる。
【００５４】
なお、上記実施形態では、ヘッドユニット１００が割当テーブル記憶部１２を備える構成例について説明したが、本発明はこれに限定されない。例えば、図６に示すように、ヘッドユニット１００に接続可能に構成された外部端末４００を備え、外部端末４００が割当テーブル記憶部１２を備えるようにしてもよい。この場合、ヘッドユニット１００は、自機の機種情報と機種情報取得部１３により取得された機種情報で構成される音響システムに対応する全体割当情報を外部端末４００から取得する全体割当情報取得部３１を備える。全体割当情報取得部３１は、取得した全体割当情報を第１の周波数帯設定部１４、割当情報送信部１５および画面生成部１６に供給する。なお、外部端末４００としては、スマートフォンやタブレット等を用いることができる。
【００５５】
外部端末４００は、インターネット６００を介してサーバ装置５００にアクセスし、割当テーブル情報をダウンロードして割当テーブル記憶部１２に記憶させることが可能である。このようにすれば、最新の割当テーブル情報を割当テーブル記憶部１２に記憶させて利用することができるようになる。なお、図３の構成においてヘッドユニット１００自身がインターネット６００への接続機能を有していれば、外部端末４００を介さずにサーバ装置５００に直接アクセスし、サーバ装置５００から割当テーブル情報をダウンロードして割当テーブル記憶部１２に記憶させることが可能である。
【００５６】
また、上記実施形態では、外部アンプ２００の機種情報に基づいて分割周波数帯の割り当てを行う例について説明したが、本発明はこれに限定されない。例えば、外部アンプ２００の第２のイコライザ処理部２１が利得制御する周波数帯域の数を示す帯域数情報を用いるようにしてもよい。ただし、機種情報を用いた方が、周波数帯の分割数を特定するだけでなく、どの周波数帯をヘッドユニット１００と外部アンプ２００のどちらに割り当てるかを適宜特定することができる点で好ましい。
【００５７】
また、上記実施形態では、第１のイコライザ処理部１１および第２のイコライザ処理部２１における分割周波数帯の割り当てに関する処理を、ヘッドユニット１００に外部アンプ２００を接続したときにも、ヘッドユニット１００と外部アンプ２００とが接続された状態においてヘッドユニット１００の電源をオンとしたときにも行う例について説明したが、本発明はこれに限定されない。
【００５８】
例えば、ヘッドユニット１００に外部アンプ２００を最初に接続したときだけ行うようにしてもよい。この場合、最初に設定した周波数帯の割当情報をヘッドユニット１００に記憶しておき、その後ヘッドユニット１００の電源がオンとされる都度、記憶しておいた割当情報に基づいて画面生成部１６がイコライザ設定画面を生成する。あるいは、ヘッドユニット１００に外部アンプ２００を最初に接続したときに画面生成部１６がイコライザ設定画面を生成し、当該イコライザ設定画面をヘッドユニット１００に記憶しておくようにしてもよい。
【００５９】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００６０】
１１  第１のイコライザ処理部
１２  割当テーブル記憶部
１３  機種情報取得部
１４  第１の周波数帯設定部
１５  割当情報送信部
１６  画面生成部
１７  表示部
１８  操作受付部
１９  第１の利得設定部
２０  利得情報送信部
２１  第２のイコライザ処理部
２２  機種情報送信部
２３  割当情報取得部
２４  第２の周波数帯設定部
２５  利得情報取得部
２６  第２の利得設定部
３１  全体割当情報取得部
１００  ヘッドユニット（第１の音響機器）
２００  外部アンプ（第２の音響機器）
４００  外部端末
【図１】
2015082686.tif 000003
【図２】
2015082686.tif 000004
【図３】
2015082686.tif 000005
【図４】
2015082686.tif 000006
【図５】
2015082686.tif 000007
【図６】
2015082686.tif 000008
【図７】
2015082686.tif 000009